(57)【特許請求の範囲】
【請求項１】
ドラムの演奏に用いるドラム用ビータであって、
前記ドラムを打撃するためのビータヘッドと、
前記ビータヘッドが取り付けられるビータロッドと、
前記ビータロッドに対してその軸方向に変位可能に取り付けられて、操作者が手で操作する操作部を有する保持部材と、
前記保持部材と前記ビータヘッドとの間に挟まれて保持された錘部材と、
前記保持部材を前記ビータヘッドに向けて付勢する付勢部材と
を備え、前記付勢部材の付勢力で前記錘部材が前記保持部材と前記ビータヘッドとの間に挟まれて保持されていることを特徴とするドラム用ビータ。
【請求項２】
ドラムの演奏に用いるドラム用ビータであって、
前記ドラムを打撃するためのビータヘッドと、
前記ビータヘッドが取り付けられるビータロッドと、
前記ビータロッドに対してその軸方向に変位可能に取り付けられて、操作者が手で操作する操作部を有する保持部材と、
前記保持部材と前記ビータヘッドとの間に挟まれて保持された錘部材と、
前記保持部材に形成されて前記ビータヘッド側に突出する突出部と
を備え、前記ビータヘッドと前記保持部材との間に挟まれた前記錘部材が前記突出部に当接することで保持されていることを特徴とするドラム用ビータ。
【請求項３】
ドラムの演奏に用いるドラム用ビータであって、
前記ドラムを打撃するためのビータヘッドと、
前記ビータヘッドが取り付けられるビータロッドと、
前記ビータロッドに対してその軸方向に変位可能に取り付けられて、操作者が手で操作する操作部を有する保持部材と、
前記保持部材と前記ビータヘッドとの間に挟まれて保持された錘部材と、
前記錘部材に形成した括れ部と
を備え、前記錘部材は、前記括れ部に前記ビータロッドを挿入させた状態で該ビータロッドの周囲に配置されていることを特徴とするドラム用ビータ。
【請求項４】
請求項１乃至３のいずれか１項に記載のドラム用ビータと、
前記ドラム用ビータの前記ビータロッドが取り付けられた回動軸と、
前記回動軸を枢支する支柱部材と、
演奏者の足で踏込操作されるフットボードと、
前記回動軸と前記フットボードとを連結する連結部材と、
前記回動軸の一端に設けたアーム部と、
前記アーム部と前記支柱部材の取付部との間に設けられて前記フットボードに復帰習性を付与する他の付勢部材と、を備えることを特徴とするドラム用フットペダル装置。
【発明の詳細な説明】
【技術分野】
【０００１】
本発明は、ドラムの演奏に用いるドラム用ビータ、及びフットボードの踏込操作によって該ドラム用ビータを回動させることで、該ドラム用ビータでドラムヘッドやバスドラムパッド（キックパッド）を打撃して発音させるドラム用フットペダル装置に関する。
【背景技術】
【０００２】
フットボードを踏み込むことによりビータを回動させて、該ビータのビータヘッドでドラムヘッドを打撃して発音させるドラム用フットペダル装置がある。従来のドラム用フットペダル装置は、例えば特許文献１に示すように、ビータが取り付けられた回転軸と、この回転軸を回動自在に枢支する左右一対の支柱と、フットボードの先端と回転軸とを連結するチェーンなどの伝達部材とを備えている。そして、回転軸の一端または両端には、フットボードに初期位置への復帰習性を付与するためのスプリング（張引コイルスプリング）が連結されている。スプリングは、その上端がクランクアームに回転自在に軸支されたローラーにリンク部材を介して掛け止めされ、その下端がスプリングの張力を調節するための調節用ネジの通孔に掛け止めされて連結されている。
【０００３】
上記のようなドラム用フットペダル装置では、ビータヘッドによるドラムヘッドの打感や打音の微調整あるいはフットボードの踏込感覚の調整を行うために、ビータ（ビータヘッド及びビータロッド）のウェイト調節を行う必要がある。このビータのウェイト調節用の機構として、特許文献２に示すように、ビータロッドに取り付けた錘部材（ウェイト部材）の取付位置を調整できるようにした構造がある。この特許文献２に記載の構造では、工具を用いて錘部材の取付位置を調整するようになっている。また、特許文献３に示すように、ビータに取り付けた錘部材をネジ止めによって保持する構造もある。この特許文献３に示す構造では、ビータの前面に蓋部材が取り付けられており、蓋部材を取り外してそこに錘部材をネジ込んで取り付けるようになっている。取り付ける錘部材の数や種類を変えることでウェイト調節が可能である。また、その他の構造として、ビータに設けた挿入孔に錘部材を挿入して磁石の吸着力で保持するものもある。
【先行技術文献】
【特許文献】
【０００４】
【特許文献１】特許第２８０６３０１号公報
【特許文献２】米国特許第７，１２２，７３０号公報
【特許文献３】米国特許第８，６３３，３６７号公報
【発明の概要】
【発明が解決しようとする課題】
【０００５】
しかしながら、工具を用いて錘部材を脱着したりその取付位置を調整したりする構造では、工具が無いとウェイト調節を行うことができない。そのため、特に演奏前や演奏中にビータのウェイト調節を行う場合の利便性が十分でないという問題がある。また、錘部材をビータにネジ止めで保持する構造では、錘部材の脱着に手間と時間がかかるという問題がある。さらに、錘部材を磁石で保持する構造では、磁石の吸着力で保持可能な部材でなければ錘部材として使用できないため、錘部材の材質に制限がある。また、ビータヘッドに磁石による吸着力を利用した専用の構造を設ける必要がある。そのため、ドラム用ビータ及びドラム用フットペダル装置の構造の複雑化や部品点数の増加につながるという問題がある。
【０００６】
本発明は上述の点に鑑みてなされたものであり、その目的は、部品点数を少なく抑えた簡単な構造でありながら、工具を用いず手作業のみで迅速かつ確実にビータヘッドのウェイト調節を行うことができるドラム用ビータ及びドラム用フットペダル装置を提供することにある。
【課題を解決するための手段】
【０００７】
上記課題を解決するための本発明は、ドラムの演奏に用いるドラム用ビータ（２００）であって、ドラムを打撃するためのビータヘッド（２）と、ビータヘッド（２）が取り付けられるビータロッド（３）と、ビータロッド（３）に対してその軸方向に変位可能に取り付けられて、操作者が手で操作する操作部（２１４）を有する保持部材（２１０）と、保持部材（２１０）とビータヘッド（２）との間に挟まれて保持された錘部材（２３０）と、前記保持部材（２１０）を前記ビータヘッド（２）に向けて付勢する付勢部材（２２０）とを備え、前記付勢部材（２２０）の付勢力で前記錘部材（２３０）が前記保持部材（２１０）と前記ビータヘッド（２）との間に挟まれて保持されていることを特徴とする。
【０００８】
本発明にかかるドラム用ビータによれば、ビータロッドに対して工具を用いず手作業のみで軸方向に移動可能となるように取り付けた保持部材を備え、該保持部材とビータとの間に錘部材が挟まれて保持されるようにしたことで、工具を用いず手作業のみでビータのウェイト調節を行うことが可能となる。したがって、ドラムの演奏前や演奏中にもビータのウェイト調節を簡単かつ迅速に行うことができる。
【０００９】
また、錘部材が保持部材とビータとの間に挟まれて保持された構成であるため、錘部材の材質に制限が無い。したがって、錘部材の材料選択の自由度が高くなり、錘部材の加工工程の簡素化や製品の低コスト化に寄与することができる。
【００１０】
さらに、ビータヘッド自体に錘部材を装着する構成ではないため、ビータヘッドの形状や構造に制限が無い。したがって、ビータヘッドの形状や構造の自由度を高めることができる。
【００１２】
また、付勢部材の付勢力で錘部材が保持部材とビータヘッドとの間に挟まれて保持されているため、錘部材を保持する構成の簡素化を図ることができる。また、付勢部材の付勢力に抗して保持部材を移動させるだけで錘部材の取り付け及び取り外しができるので、ビータのウェイト調節の作業が簡単かつ迅速に行えるようになる。
【００１３】
さらに、本発明に係るドラム用ビータ（２００）は、ドラムを打撃するためのビータヘッド（２）と、ビータヘッド（２）が取り付けられるビータロッド（３）と、ビータロッド（３）に対してその軸方向に変位可能に取り付けられて、操作者が手で操作する操作部（２１４）を有する保持部材（２１０）と、保持部材（２１０）とビータヘッド（２）との間に挟まれて保持された錘部材（２３０）と、保持部材（２１０）に形成されてビータヘッド（２）側に突出する突出部（２１５，２１７）とを備え、ビータヘッド（２）と保持部材（２１０）との間に挟まれた錘部材（２３０）が突出部（２１５，２１７）に当接することで保持されていることを特徴とする。
【００１４】
この構成によれば、保持部材に形成した突出部が錘部材に当接することで錘部材の動きが規制されている。これにより、ビータヘッドと保持部材との間に保持されている錘部材に位置ずれや脱落が生じることを効果的に防止できる。また、錘部材を取り付ける際にその取付作業の容易化を図ることもできる。
【００１５】
さらに、本発明に係るドラム用ビータ（２００）は、ドラムを打撃するためのビータヘッド（２）と、ビータヘッド（２）が取り付けられるビータロッド（３）と、ビータロッド（３）に対してその軸方向に変位可能に取り付けられて、操作者が手で操作する操作部（２１４）を有する保持部材（２１０）と、保持部材（２１０）とビータヘッド（２）との間に挟まれて保持された錘部材（２３０）と、錘部材（２３０）に形成した括れ部（２３１）とを備え、錘部材（２３０）は、括れ部（２３１）にビータロッド（２）を挿入させた状態で該ビータロッド（２）の周囲に配置されていることを特徴とする。
【００１６】
この構成によれば、ビータロッドを避けてその周囲に錘部材を設置することができる。したがって、錘部材によるウェイト（重さ）をビータロッドの中心軸に対して均等に配分した状態で錘部材を設置できる。また、錘部材にくびれ部を形成したことで、このくびれ部に対してビータロッドを挿入させて該ビータロッドに錘部材を取り付けることができるので、錘部材の取付作業が行い易くなる。
【００１７】
また、本発明にかかるドラム用フットペダル装置は、本発明にかかる上記のドラム用ビータと、ドラム用ビータ（２００）のビータロッド（３）が取り付けられた回動軸（３５）と、回動軸（３５）を枢支する支柱部材（２１，２２）と、演奏者の足で踏込操作されるフットボード（５０）と、回動軸（３５）とフットボード（５０）とを連結する連結部材（５５）と、回動軸（３５）の一端に設けたアーム部（３８）と、アーム部（３８）と支柱部材（２１）の取付部（２３）との間に設けられてフットボード（５０）に復帰習性を付与する他の付勢部材（６０）と、を備えることを特徴とする。
【００１８】
本発明にかかるドラム用フットペダル装置によれば、本発明にかかる上記構成のドラム用ビータを備えたことで、工具を用いず手作業のみでビータのウェイト調節を行うことが可能となる。したがって、ドラムの演奏前や演奏中にもビータのウェイト調節を簡単かつ迅速に行うことができる。また、錘部材が保持部材とビータとの間に挟まれて保持された構成であるため、錘部材の材質に制限が無い。したがって、錘部材の材料選択の自由度が高くなり、錘部材の加工工程の簡素化や製品の低コスト化に寄与することができる。さらに、ビータヘッド自体に錘部材を装着する構成ではないため、ビータヘッドの形状や構造に制限が無い。したがって、ビータヘッドの形状や構造の自由度を高めることができる。
【００１９】
なお、上記の括弧内の符号は、後述する実施形態における構成要素の符号を本発明の一例として示したものである。
【発明の効果】
【００２０】
本発明にかかるドラム用ビータ及びドラム用フットペダル装置によれば、部品点数を少なく抑えた簡単な構造でありながら、工具を用いず手作業のみで迅速かつ確実にビータヘッドのウェイト調節を行うことができる。
【図面の簡単な説明】
【００２１】
【図１】本発明の一実施形態にかかるドラム用フットペダル装置の全体構成を示す図である。
【図２】ドラム用フットペダル装置の正面図である。
【図３】本発明の第１実施形態にかかるドラム用ビータの構成部品を示す分解図（側面図）である。
【図４】ドラム用ビータの構成部品を示す分解図（斜視図）である。
【図５】ビータヘッド及びその周辺の部分拡大側面図（一部断面図）である。
【図６】ドラム用ビータに錘部材を取り付ける手順を説明するための図である。
【図７】本発明の第２実施形態にかかるドラム用ビータの分解図（側面図）である。
【図８】本発明の第３実施形態にかかるドラム用ビータの分解図（側面図）である。
【図９】第３実施形態におけるビータヘッド及びその周辺の部分拡大側面図（一部断面図）である。
【図１０】図９のＸ−Ｘ矢視断面を示す図である。
【発明を実施するための形態】
【００２２】
以下、添付図面を参照して本発明の実施形態を詳細に説明する。
〔第１実施形態〕
図１は、本発明の一実施形態にかかるドラム用フットペダル装置の全体構成を示す側面図、図２は、ドラム用フットペダル装置の正面図である。図１及び図２に示すフットペダル装置１は、設置場所の床面（設置面）に載置されるフレーム部１０を備えている。フレーム部１０は、基部２０と、基部２０の上部に立設された左右一対の支柱部材２１，２２と、基部２０の後方にベース部材２５を介して連結されたヒール部材３０とを備えて構成されている。基部２０の前端にはバスドラムＢのフープＲを挾持するクランプ金具２６と、このクランプ金具２６をフープＲに押し付けるフープ固定ねじ２７が取り付けられている。フープ固定ねじ２７を締め込むことにより、クランプ金具２６が基部２０の前端部２０ａと共にバスドラムＢのフープＲを挟み込み、フットペダル装置１をバスドラムＢに固定する。
【００２３】
左右一対の支柱部材２１，２２の上端部には回動軸３５が枢支されている。回動軸３５の軸方向の中央部にはロッカ３６が取り付けられ、両端部は支柱部材２１・２２の上端部に組み込まれた軸受４１，４２によって軸支されている。ロッカ３６には、バスドラムＢのドラムヘッドＨを打撃するビータヘッド２がビータロッド３を介して取り付けられるとともに、フットボード５０の踏込力をビータヘッド２に伝達する連結部材５５の上端が固定されている。ビータロッド３の根元部は、ロッカ３６に設けられた通孔３６ａに摺動自在に嵌挿され、かつボルト３７によって固定されている。ボルト３７を緩めてビータロッド３の長さを調整すると、ビータヘッド２によるドラムヘッドＨの打面高さを変えることができる。連結部材５５として、本実施形態では金属製のチェーンを用いた例を示したが、これ以外にも皮革または合成樹脂製のバンド等を用いてもよい。
【００２４】
フットボード５０は、足を載せるに十分な大きさの平板によって形成され、前端部５０ａが連結部材５５の下端部に連結され、後端部５０ｂがヒール部材３０に回転軸３０ａを介して上下方向に回動自在に連結されている。
【００２５】
また、フットボード５０は、コイルスプリング６０の付勢力で図１において反時計回り方向の復帰習性が付与されている。コイルスプリング６０は、一方の支柱部材２１の外側面に沿って配設されており、上フック６０ａが回動軸３５の一端に設けたアーム部材３８に取り付けられ、下フック６０ｂが支柱部材２１の下端部の近傍に突設された取付部２３に張力調節機構１００を介して連結されている。
【００２６】
張力調節機構１００は、コイルスプリング６０の下端に取り付けた調節用ネジ６５と、調節用ネジ６５をその回転により上下動させる調節用ナット７０と、調節用ナット７０の緩みを防止するロック用ナット８５とを備えて構成されている。調節用ネジ６５の上端部には挿通孔６５ａが形成されており、この挿通孔６５ａにコイルスプリング６０の下フック６０ｂが係入されている。調節用ネジ６５の下端部には調節用ナット７０が螺合している。
【００２７】
調節用ナット７０を締め付け方向へ回転させると、調節用ネジ６５を取付部２３に対して下側へ移動させることができ、調節用ナット７０を緩める方向へ回転させると、調節用ネジ６５を取付部２３に対して上側へ移動させることができる。このようにして、調節用ナット７０を回転させて調節用ネジ６５の高さ位置（取付部２３に対する高さ位置）を調節することで、コイルスプリング６０の付勢力でフットボード５０に作用する力を調節する。調節が済んだらその位置でロック用ナット８５を締め付けて調節用ネジ６５及び調節用ナット７０の位置を固定する。
【００２８】
また、フットペダル装置１は、ベース部材２５にその下面側に繰り出し可能に取り付けたスパイク部材１１を備えている。スパイク部材１１は、ベース部材２５の後端部の近傍における幅方向の両側に１個ずつが取り付けられている。スパイク部材１１によって、設置場所の床面に対するフットペダル装置１の位置ずれを防止することができる。
【００２９】
上記構成のフットペダル装置１において、フットボード５０を足で踏み込むと、連結部材５５が引き下げられるため、ロッカ３６が回動軸３５と一体に回動し、ビータヘッド２がバスドラムＢのドラムヘッドＨを打撃する。打撃後、フットボード５０から踏込力を解除すると、回動軸３５がコイルスプリング６０の張力によって打撃時とは反対方向に回動するため、ビータヘッド２およびフットボード５０は初期位置に復帰し、次の打撃操作を可能にする。
【００３０】
図３は、ドラム用ビータ２００の構成部品を示す分解図（側面図）、図４は、ドラム用ビータ２００の構成部品を示す分解図（斜視図）である。また、図５は、ビータヘッド２及びその周辺の部分拡大側面図（一部断面図）である。これらの図に示すように、ドラム用ビータ２００は、ドラムヘッドＨを打撃するためのビータヘッド２と、ビータヘッド２を支持するビータロッド３と、ビータロッド３に取り付けた保持部材２１０と、保持部材２１０をビータヘッド２に向けて付勢するスプリング（付勢部材）２２０と、スプリング２２０の付勢力で保持部材２１０とビータヘッド２との間に挟まれて保持される錘部材２３０とを備えて構成されている。なお、以下の説明で上又は下というときは、図３に示す向きでの上又は下を指す。
【００３１】
ビータロッド３は、断面が円形の棒状部材で、長手方向の途中の二箇所にはそれぞれ径寸法が変化する第一段部３ｃと第二段部３ｄが形成されている。スプリング２２０は、その一端（下端）がビータロッド３の第一段部３ｃに係止される円形環状の座金２４０に当接し、その他端（上端）が保持部材２１０に当接している。
【００３２】
保持部材２１０は、ビータロッド３を貫通させる貫通孔２１１が中心に形成された部材で、下側に形成された略円柱状の基部２１２と、基部２１２の上部に一体に形成された薄板状の保持部２１３とを備えて構成されている。基部２１２の外周面には、保持部材２１０を移動させる際に手で摘んで操作するための円周状の括れからなる操作部２１４が形成されている。保持部２１３は、基部２１２よりも大径の略円板状に形成されており、その外周縁には、ビータヘッド２に向かって延びる円弧状の外縁部２１５が立設されている。外縁部２１５は、その一部に切り欠きが形成されている。
【００３３】
錘部材２３０は、保持部２１３の外周縁に沿う外形を有する薄略円形の板状の部材で、その外周縁の一部から中心部に向かって略Ｕ字型の括れ部２３１が形成されている。錘部材２３０の材質としては、所望の質量を有するように金属製や合成樹脂製など適切な材料を選択することが可能である。一例として錘部材２３０は真鍮製とすることができる。
【００３４】
ビータヘッド２は、略円柱状の外形を有し、その中心にビータロッド３が貫通する貫通孔２ｃが形成されている。ビータヘッド２は、フェルトなどの布材や合成樹脂材などからなり、外周側面２ｆがドラムヘッドＨを打撃する打撃面２ｆになっている。ビータヘッド２の下側には、ビータロッド３の第二段部３ｄに係止される円形環状の座金２５０が設置され、ビータロッド３の上側には、サークリップ（係止具）２７０でビータロッド３の先端３ａに係止される座金２６０が設置されている。
【００３５】
上記の構成部品を有するドラム用ビータ２００を組み立てるには、ビータロッド３にその上端３ａ側から座金２４０、スプリング２２０、保持部材２１０をこの順番で取り付ける。座金２４０はビータロッド３の第一段部３ｃに係止され、その上にスプリング２２０を挟んで保持部材２１０が載置される。この状態で、図５に示すようにスプリング２２０が保持部材２１０の収容部２１６内に収容される。さらにビータロッド３における保持部材２１０の上側に座金２５０、ビータヘッド２、座金２６０をこの順番で取り付け、座金２６０の上部に突出したビータロッド３の上端３ａにサークリップ２７０を取り付けて座金２６０を係止する。この状態で第二段部３ｄに係止された座金２５０とサークリップ２７０で係止された座金２６０との間にビータヘッド２が支持される。またこの状態で、スプリング２２０で上方に付勢された保持部材２１０がビータヘッド２の下面２ｂ（座金２５０）に押し当てられた状態で当接している。なお、この状態ではドラム用ビータ２００に錘部材２３０が取り付けられていない。
【００３６】
図６は、ドラム用ビータ２００に錘部材２３０を取り付ける手順を説明するための図である。ドラム用ビータ２００に錘部材２３０を取り付けるには、図６（ａ）に示すように、保持部材２１０の操作部２１４を手（指）で摘んで下方へ引き下げる。これにより、保持部材２１０がスプリング２２０の付勢力に抗して下方に移動することで、保持部材２１０の保持部２１３とビータヘッド２の下面２ｂ（座金２５０）との間に隙間Ｓが形成される。この状態で、隙間Ｓに錘部材２３０を差し込んで装着する。錘部材２３０の装着は、括れ部２３１にビータロッド３を横から挿入して行う。その後、保持部材２１０を押し下げている力を解除すると、図６（ｂ）に示すように、スプリング２２０の付勢力で保持部材２１０が上方に移動し、ビータヘッド２と保持部材２１０との間に錘部材２３０が挟まれた状態で保持される。詳細には、錘部材２３０はビータヘッド２の下面２ｂ（座金２５０）と保持部材２１０の保持部２１３との間に挟持される。さらに、この錘部材２３０は、保持部２１３の外縁部２１５によってその外周縁が囲まれていることで隙間Ｓから抜け落ちないようになっている。
【００３７】
また、ドラム用ビータ２００から錘部材２３０を取り外すには、保持部材２１０の操作部２１４を手（指）で摘んで下方へ引き下げ、その状態で、保持部材２１０の保持部２１３とビータヘッド２の下面２ｂとの隙間Ｓから錘部材２３０を抜き取るようにする。
【００３８】
以上説明したように、本実施形態のドラム用ビータ２００では、ビータロッド３に手作業のみで軸方向に移動可能となるように取り付けた保持部材２１０を備え、この保持部材２１０とビータヘッド２との間に錘部材２３０が挟まれて保持されるようにした。これにより、工具を用いず手作業のみでドラム用ビータ２００のウェイト調節を行うことが可能となる。したがって、ドラムの演奏前や演奏中にもドラム用ビータ２００のウェイト調節を簡単かつ迅速に行うことができる。
【００３９】
また、錘部材２３０が保持部材２１０とビータヘッド２との間に挟まれて保持された構成であるため、錘部材２３０の材質に制限が無く、形状も比較的自由に設定することが可能となる。したがって、錘部材２３０の材料や形状の選択の自由度が高くなり、錘部材２３０の加工工程の簡素化や製品の低コスト化に寄与することができる。
【００４０】
さらに、ビータヘッド２自体に錘部材２３０を装着する構成ではないため、ビータヘッド２の形状や構造に制限が無い。したがって、ビータヘッド２の形状や構造の自由度を高めることができる。
【００４１】
また、このドラム用ビータ２００は、保持部材２１０をビータヘッド２に向けて付勢するスプリング２２０を備え、このスプリング２２０の付勢力で錘部材２３０が保持部材２１０とビータヘッド２との間に挟まれて保持されている。これにより、錘部材２３０を保持する構成の簡素化を図ることができる。また、スプリング２２０の付勢力に抗して保持部材２１０を移動させるだけで錘部材２３０の取り付け及び取り外しができるので、ドラム用ビータ２００のウェイト調節の作業が簡単かつ迅速に行えるようになる。
【００４２】
また、このドラム用ビータ２００は、保持部材２１０（保持部２１３）の外径端に形成されてビータヘッド２側に突出する外縁部（突出部）２１５を備え、ビータヘッド２と保持部材２１０との間に挟まれた錘部材２３０が外縁部２１５で囲まれて保持されるようになっている。これにより、保持部材２１０の外縁部２１５で錘部材２３０が囲まれた状態になるため、ビータヘッド２と保持部材２１０との間に保持されている錘部材２３０に位置ずれや脱落が生じることを効果的に防止できる。また、錘部材２３０を取り付ける際にその取付作業の容易化を図ることもできる。
【００４３】
また、このドラム用ビータ２００は、錘部材２３０に形成した括れ部２３１を備えている。そして、錘部材２３０は、括れ部２３１にビータロッド３を挿入させた状態で該ビータロッド３の周囲に配置されている。これにより、ビータロッド３を避けてその周囲に錘部材２３０を設置することができる。したがって、錘部材２３０によるウェイト（重さ）をビータロッド３の中心に対して均等に配分した状態で錘部材２３０を設置できる。また、錘部材２３０に括れ部２３１を形成したことで、この括れ部２３１に対してビータロッド３を挿入させて該ビータロッド３に錘部材２３０を取り付けることができるので、錘部材２３０の取付作業が行い易くなる。
【００４４】
〔第２実施形態〕
次に、本発明の第２実施形態について説明する。なお、第２実施形態及び後述する第３実施形態の説明及び対応する図面においては、第１実施形態と同一又は相当する構成部分には同一の符号を付し、以下ではその部分の詳細な説明は省略する。また、以下で説明する事項以外の事項については、第１実施形態と同じである。
【００４５】
図７は、本発明の第２実施形態にかかるドラム用ビータ２００−２の分解図（側面図）である。第１実施形態のドラム用ビータ２００の保持部材２１０は、スプリング２２０の付勢力で付勢されていたのに対して、本実施形態のドラム用ビータ２００−２の保持部材２１０−２は、ビータロッド３に対してねじの回転で軸方向に移動するように構成されている。
【００４６】
すなわち、本実施形態のドラム用ビータ２００−２は、第１実施形態のドラム用ビータ２００が備えていたスプリング２２０の設置を省略すると共に、保持部材２１０及びビータロッド３に代えて他の構成の保持部材２１０−２及びビータロッド３−２を備えたものである。保持部材２１０−２は、貫通孔２１１の内周面にネジ２１８が形成されている。また、ビータロッド３−２は、第１段部３ｃと第２段部３ｄとの間の外周面にネジ４が形成されている。これにより、保持部材２１０−２の貫通孔２１１にビータロッド３−２を挿通して取り付ける際、貫通孔２１１のネジ２１８がビータロッド３−２のネジ４に螺合することで取り付けられるようになっている。したがって、保持部材２１０−２をビータロッド３−２の軸方向に移動させるには、保持部材２１０−２を回転させてネジ４とネジ２１８の螺合により移動させる。
【００４７】
本実施形態のドラム用ビータ２００−２においても、保持部材２１０−２を回転させてネジ４とネジ２１８の螺合により移動させることで、保持部材２１０−２とビータヘッド２との間に錘部材２３０を挟んで保持することができる。これにより、工具を用いず手作業のみでドラム用ビータ２００−２のウェイト調節を行うことが可能となる。したがって、ドラムの演奏前や演奏中にもドラム用ビータ２００−２のウェイト調節を簡単かつ迅速に行うことができる。
【００４８】
〔第３実施形態〕
次に、本発明の第３実施形態について説明する。図８は、本発明の第３実施形態にかかるドラム用ビータ２００−３の分解図（側面図）である。また、図９は、ドラム用ビータ２００−３のビータヘッド２及びその周辺の部分拡大側面図（一部断面図）であり、図１０は、図９のＸ−Ｘ矢視断面を示す図である。第１実施形態のドラム用ビータ２００は、保持部材２１０（保持部２１３）の外径端に形成されてビータヘッド２側に突出する外縁部２１５を備えていたのに対して、本実施形態のドラム用ビータ２００−３の保持部材２１０−３は、該保持部材２１０−３（保持部２１３）の内径端に形成されてビータヘッド２側に突出する内縁部２１７を備えて構成されている。
【００４９】
内縁部２１７は、保持部材２１０−３の上面（保持部２１３の上面）における貫通孔２１１の周囲に形成された円形環状の突起からなる。内縁部２１７は、その径寸法（外径寸法）が錘部材２３０−３の中心に形成した貫通孔２３５（図１０参照）の内径側に挿入可能な寸法に形成されている。貫通孔２３５は、括れ部２３１に連通しており、その径寸法は括れ部２３１の幅寸法よりも若干大きな寸法に形成されている。
【００５０】
そして、保持部材２１０−３がスプリング２２０の付勢力でビータヘッド２側へ付勢されて、ビータヘッド２（座金２５０）と保持部材２１０−３との間に錘部材２３０−３が挟まれて保持される際、保持部材２１０−３の内縁部２１７が貫通孔２３５の内径側に挿入される。これにより、保持部材２１０−３に対する錘部材２３０−３の位置ずれ（横方向への位置ずれ）が防止された状態となる。したがって、ビータヘッド２（座金２５０）と保持部材２１０−３との間に挟持された錘部材２３０−３が抜け落ちることが防止される。なおここでは、内縁部２１７が円形環状の部分からなる場合を示したが、内縁部は必ずしも環状に限らず、その一部が切り欠かれた形状などであってもよい。
【００５１】
以上、本発明の実施形態を説明したが、本発明は、上記実施形態に限定されるものではなく、特許請求の範囲、及び明細書と図面に記載された技術的思想の範囲内において種々の変形が可能である。例えば、上記実施形態では、保持部材２１０（２１０−２，２１０−３）とビータヘッド２との間に保持した錘部材２３０（２３０−３）が１個の場合を示したが、錘部材の数は２個以上とすることも可能である。
【００５２】
また、上記の実施形態では、ドラム用ビータ２００の錘部材２３０をビータヘッド２に対してビータロッド３の根元側（回動支点側）に取り付けた場合を示したが、これ以外にも、錘部材２００をビータヘッド２に対してビータロッド３の先端側（自由端側）に取り付けてもよい。この場合、第１，第３実施形態では、ビータロッド３の段部３ｃと座金２４０でスプリング２２０を支持する構成としたが、これに代えて、ビータロッド３の段部３ｃに代えてビータロッド３の自由端側にネジを切り、このネジに螺合させたボルト等で座金を係止する構成を採用するとよい。また、第２実施形態の保持部材２１０−２及び錘部材２３０−２をビータロッド３の先端側に適用する場合は、上述の構成をそのまま採用すればよい。
【００５３】
また、上記の実施形態では、軸方向へのスライド移動によって、あるいはネジによる回動によって保持部材をビータロッドの軸方向に変位させることで錘部材を着脱できる状態と保持する状態とに切り替える構成を示したが、これ以外にも、保持部材の外縁部の一部に切り欠きを形成しておき、保持部材の回転方向の位置が所定位置にあるときのみ錘部材をこの切り欠きから着脱できるように構成してもよい。この場合は、保持部材を軸方向の同一位置で回転させることで錘部材を着脱できる状態と保持する状態を切り替えることができる。
【００５４】
さらに、上記の実施形態では、保持部材に対する操作は、操作部を指などで摘んで引っ張るか、あるいは回転させる場合を説明したが、保持部材に対する操作は、これらの形態に限られず、その他の操作によって保持部材を移動させるように構成してもよい。
【００５５】
また、本発明にかかる保持部材に設けた突出部は、第１実施形態では保持部材の外径端に錘部材を囲むように設けた外縁部２１５とし、第３実施形態では保持部材の内径端に形成されて錘部材２３０の貫通孔２３５に嵌り込んで当接する突起状の内縁部２１７としたが、突出部は、これらのように保持部材の外周縁又は内周縁に形成したものには限られない。すなわち他の構成として、例えば、保持部材における錘部材との当接面の径方向の中間位置に突起を設け、錘部材の保持部材との当接面に孔もしくは凹部を設け、錘部材と保持部材の当接面同士が当接するときにこれら突起と凹部が嵌合するようにして錘部材の移動を規制する構成であってもよい。
【００５６】
また、上述の実施形態では、アコースティックドラムのバスドラムを打撃するフットペダルとして説明したが、電子ドラムのバスドラムパッドを打撃するフットペダルに本発明を用いてもよい。
【符号の説明】
【００５７】
１…フットペダル装置，２…ビータヘッド，２ｂ…下面，２ｃ…貫通孔，２ｆ…外周側面（打撃面），３…ビータロッド，３ａ…先端，３ａ…上端，３ｃ…第一段部，３ｄ…第二段部，４…ネジ，１０…フレーム部，１１…スパイク部材，２０…基部，２０ａ…前端部，２１，２２…支柱部材，２３…取付部，２５…ベース部材，２６…クランプ金具，２７…フープ固定ねじ，３０…ヒール部材，３０ａ…回転軸，３５…回動軸，３６…ロッカ，３６ａ…通孔，３７…ボルト，３８…アーム部材，４１，４２…軸受，５０…フットボード，５０ａ…前端部，５０ｂ…後端部，５５…連結部材，６０…コイルスプリング，６０ａ…上フック，６０ｂ…下フック，６５…調節用ネジ，６５ａ…挿通孔，７０…調節用ナット，７５…中間部材，８５…ロック用ナット，１００…張力調節機構，２００…ドラム用ビータ，２１０…保持部材，２１１…貫通孔，２１２…基部，２１３…保持部，２１４…操作部，２１５…外縁部（突出部），２１６…収容部，２１７…内縁部（突出部），２１８…ネジ，２２０…スプリング，２３０…錘部材，２３１…括れ部，２４０…座金，２５０…座金，２６０…座金，２７０…サークリップ，Ｓ…隙間
【図１】
0006672677.tif 000002
【図２】
0006672677.tif 000003
【図３】
0006672677.tif 000004
【図４】
0006672677.tif 000005
【図５】
0006672677.tif 000006
【図６】
0006672677.tif 000007
【図７】
0006672677.tif 000008
【図８】
0006672677.tif 000009
【図９】
0006672677.tif 000010
【図１０】
0006672677.tif 000011